(57)【要約】【課題】製作及び組立が簡単、且つ衛生及び安全な一体成型の防汚テープカッターの構造を提供する。  【解決手段】  一体成型で簡単に組み立てることができ、完全にテープを覆い隠す防汚のテープカッターの構造であり、一体射出成型のテープカッターの本体は、アーチ型縁及び蓋を具有し、ボックス型の安定したデザインを形成し、二つのサイド板の下縁にそれぞれ対称する折れ線を具有し、二つのサイド板を折り返し、該サイド板の中表の相対する中央位置に、それぞれ掛合できる軸リングを設け、そこにテープを設置する。該サイド板は該突出した軸リングを相互に掛合することで固定し、組立が完了する。【選択図】  図１
0003158358.tif 000002
【実用新案登録請求の範囲】
【請求項１】
サイド板、アーチ型縁、軸リング、蓋を含み、
二つのサイド板及び、テープを引っ張る際に指を入れるアーチ型縁と、テープをカットするカッター、簡単に開けることのできる蓋を一体成型のボックス型に成型し、
該アーチ型縁の底部、二つのサイド板の相対する位置に折れ線を設置し、サイド板を外側に折り、
該サイド板の中央に突出した軸リングを設置し、
該テープカッターは一つの型で成型し、二つのサイド板を相互に嵌合してテープを内部に包み込んで完全に密閉するデザインであることを特徴とする一体成型の防汚テープカッターの構造。
【請求項２】
前記サイド板の縁に切り込みを設置し、サイド板を開けやすくすることを特徴とする請求項１記載の一体成型の防汚テープカッターの構造。
【請求項３】
前記二つのサイド板の内部構造は、対称しないデザインにすることができることを特徴とする請求項１記載の一体成型の防汚テープカッターの構造。
【考案の詳細な説明】
【技術分野】
【０００１】
本考案は一体成型の防汚テープカッターの構造に関し、特にサイド板を手軽に外してテープを入れ替えることができ、テープカッター全体を完全に覆うことができ、汚れを防止することのできる一体成型の防汚テープカッターの構造に関する。
【背景技術】
【０００２】
一般の小型テープカッターのデザイン、特に携帯できるテープカッターは通常図４に示す形状である。テープカッター本体２１は両サイドの薄い板２２と一体型に設計する。通常は薄いシート状の材料で成型し、中央は平面板２３で連結し、Ｕ字型の造型に形成する。該平面板２３の一端に鋸状のカッター２４を設置し、相対して設置するサイド板２２の中表の中央部に、相互に凹凸状に形成して掛合できる軸棒２５を設け、テープ２０を直接設置して掛合するとリールになる。
【０００３】
テープ２０の一端を引っ張り出し、カッター２４で切断する。テープカッター本体２１の各面及びカッター付近のアーチ型縁はいずれも密閉しておらず、テープ２０を設置した後、完全にテープ２０を包み込むことができないため、汚損或いは汚い物を附着しやすく、衛生的に使用することができない。特に診療所や病院で使用する際、該テープ２０が不衛生になる憂いがある。加えて切り口が露出しているため、接触怪我或いは損壊するなど、使用時の安全も考慮する必要があるなど、更なる改善が必要であった。
【先行技術文献】
【特許文献】
【０００４】
【特許文献１】特開２００９−１８４８１９号公報
【考案の概要】
【考案が解決しようとする課題】
【０００５】
前記公知構造の欠点を解決するため、本考案は簡易にテープをセットして使用することができ、更にテープカッター全体及びカッターを完全に包み込むことができる、簡単な成型及び組立をすることができ、清潔に使用できる一体成型のテープカッターの構造を提供することを主な課題とする。
【課題を解決するための手段】
【０００６】
前記課題を解決するために、本考案は一体成型の防汚のテープカッターの構造を提供するものであり、本体に切り口部分に蓋を具有するボックス状の安定したデザインである。二つのサイド板の切り口縁の下部に折れ線を設置し、サイド板を外側に折り返すデザインである。サイド板の内側の軸リングが突出し、簡単にテープを設置することができる。組み立てた後は完全にテープを覆い隠せて、切り口縁と繋がる蓋が切り口縁を覆うことで、安全に衛生的にテープを引っ張りだすことができる。一つの型で成型し、生産コストを更に抑える。
【０００７】
すなわち、請求項１の考案は、一体成型の防汚テープカッターの構造であって、サイド板、アーチ型縁、軸リング、蓋を含み、二つのサイド板及び、テープを引っ張る際に指を入れるアーチ型縁と、テープをカットするカッター、簡単に開けることのできる蓋を一体成型のボックス型に成型し、該アーチ型縁の底部、二つのサイド板の相対する位置に折れ線を設置し、サイド板を外側に折り、該サイド板の中央に突出した軸リングを設置し、該テープカッターは一つの型で成型し、二つのサイド板を相互に嵌合してテープを内部に包み込んで完全に密閉するデザインであることを特徴とする。
【０００８】
請求項２の考案は、請求項１記載の一体成型の防汚テープカッターの構造であって、前記サイド板の縁に切り込みを設置し、サイド板を開けやすくすることを特徴とする。
請求項３の考案は、請求項１記載の一体成型の防汚テープカッターの構造であって、前記二つのサイド板の内部構造は、対称しないデザインにすることができることを特徴とする。
【考案の効果】
【０００９】
本考案の汚れ防止のテープカッターの構造によれば、一体射出成型のテープカッターとすることができ、アーチ型縁及びサイド板、カッター、蓋及び二つのサイド板の下縁に相対する折れ線を設置することにより、折れ線を折ってＵ字型形状に成型し、テープカッター全体を完全に覆うことで、衛生的にテープを保存及び引っ張り出すことができる。
【図面の簡単な説明】
【００１０】
【図１】本考案におけるテープカッターの立体展開略図である。
【図２】本考案におけるテープカッターの組立外観参考図である。
【図３】本考案におけるテープカッターの別型の展開参考図である。
【図４】従来技術における携帯型簡易テープカッターの外観使用略図である。
【考案を実施するための形態】
【実施例】
【００１１】
本考案による一体成型の防汚テープカッターの構造の実施例を図に沿って詳細な説明を行う。本考案の実施例の一体成型の防汚テープカッターの構造は、簡単に成型及び組立ができる改良デザインである。
【００１２】
図１から図３に示すように、テープカッターの本体１０は一つの型で製作した一体成型のデザインである。テープカッターの切り口が実際成型した際にしっかりと安定してテープを切断できるよう、相対的に二つのサイド板１１及び、アーチ型縁１２．カッター１３、蓋１４を組み立て、Ｕ字型ボックスの成型とする。両サイドのサイド板１１はアーチ型縁１２の底部に、相対する二本の折れ線１５を設置し、二つのサイド板１１をそれぞれ外側に折って成型する。
【００１３】
サイド板の中央にそれぞれ掛合できる凸軸状の軸リング１６を形成し、二つのサイド板１１を向かい合わせに組み立てた後、該軸リング１６はテープ２０を設置するリールとなる。二つのサイド板１１は対称しないデザインにすることもでき、軸リング１６及び周囲を囲む板面を直接同一サイドに設置し、一対である二つのサイド板１１を掛合して組立成型する。本体１０に設けるアーチ型縁１２の一辺に一体成型で突出したノコギリ状のカッター１３があり、該カッター１３は直接底部から先に向けて次第に薄くなるよう削って形成したものである。テープ２０をアーチ型縁１２から引っ張り出し、カッターで簡単に切断することができる。蓋１４を蓋合すると、カッター１３を覆い隠し、汚れや刃先で怪我するのを防止するほか、テープ２０全体を確実にテープカッター内に包み込めるなど、テープカッターとして使用上の衛生面及び安全面を考慮し、実用性を備える。
【００１４】
本考案のテープカッターは、特に、カッター１３とアーチ型縁１２及び二つのサイド板１１を一体成型で製作したデザインである。一対である二つのサイド板を一体化成型にすることで安定した固定枠形状となり、カッター１３の刃先が定位置に付くと同時に堅固な構造となるため、安定して簡単にテープを切断できる。二つのサイド板１１を外側に折るため、簡単にテープ２０を設置することができる。
【００１５】
図１乃至３に示すように、テープ２０を設置／入れ替えする際に、二つのサイド板１１を開けやすくするために、サイド板１１の縁部分に切り込み１７を設置する。本考案のテープカッターは、製造時に型から外すと、簡単に折って成型することができる。テープ２０を完全にテープカッター内に設置し、該蓋１４はカッター１３の外側で蓋合して刃先を保護するなど、美しい外観を持ち、実用的で、携帯しやすく安全且つ衛生的に使用することができ、製作コストを抑えた画期的な構造である。
【００１６】
以上のように、本考案の汚れ防止のテープカッターの構造の実施例では、一体射出成型のテープカッターとすることができ、アーチ型縁及びサイド板、カッター、蓋及び二つのサイド板の下縁に相対する折れ線を設置することにより、折れ線を折ってＵ字型形状に成型し、テープカッター全体を完全に覆うことで、衛生的にテープを保存及び引っ張り出すことができる。
なお、本考案の特徴を損なうものでなければ、上記実施例に限定されるものでないことは勿論である。
【符号の説明】
【００１７】
１０  本体
１１  サイド板
１２  アーチ型縁
１３  カッター
１４  蓋
１５  折れ線
１６  軸リング
１７  切り込み
２０  テープ  
２１  本体
２２  サイド板
２３  アーチ型縁
２４  カッター
２５  軸棒
【図１】
0003158358.tif 000003
【図２】
0003158358.tif 000004
【図３】
0003158358.tif 000005
【図４】
0003158358.tif 000006